(57)【要約】【課題】自動車の後突時に衝撃荷重を吸収する機能を確保しつつ、意匠性を悪化させることなくトランクリッドの車体後部の剛性を高める。【解決手段】トランクリッド５に、リッド本体部７の矩形パネル部７ａ裏側における車体後部の車幅方向中程に板面を車幅方向に互いに対向させて一体に立設された複数の立壁部５５と、これら立壁部５５の先端縁を一体に橋絡する連結壁部５７とを有し、各立壁部５５の車体前側端縁の基端が車幅方向に沿う略一直線Ｌ上に位置する樹脂製後側補強部５９を設ける。自動車の後突時、リッド本体部７は各立壁部５５の車体前側端縁の基端を起点として略くの字状に折れ曲がる。【選択図】図３
2013248959.tif 000002
【特許請求の範囲】
【請求項１】
パネル状の樹脂製リッド本体部(7)を備え、車体(1)の上方に開放するトランクルーム開口(3)の車体前端の車幅方向両端に一対のヒンジ(25)により上記トランクルーム開口(3)を上下方向に開閉可能に連結されたトランクリッドであって、
上記リッド本体部(7)の主面(7a)裏側における車体後部の車幅方向中程に板面を車幅方向に互いに対向させて一体に立設された複数の立壁部(55)と、これら立壁部(55)の先端縁を一体に橋絡する連結壁部(57)とを有し、上記複数の立壁部(55)のうち少なくとも一対の各立壁部(55)の車体前側端縁の基端が車幅方向に沿う略一直線(L)上に位置する樹脂製後側補強部(59)を備え、
自動車の後突時、上記リッド本体部(7)が上記各立壁部(55)の上記車幅方向に沿う略一直線(L)上に位置する車体前側端縁の基端を起点として略くの字状に折れ曲がることを特徴とするトランクリッド。
【請求項２】
請求項１に記載のトランクリッドにおいて、
上記立壁部(55)の車体前側端縁は、リッド閉状態で先端から基端に行くに従って前上がりに傾斜していることを特徴とするトランクリッド。
【請求項３】
請求項１又は２に記載のトランクリッドにおいて、
上記リッド本体部(7)の主面(7a)裏側における後側補強部(59)の車体前側には、上記複数の立壁部(55)のうちの少なくとも１つの車体前側端縁に一体に連結されて車幅方向に延びる前側補強部(63,65)が突設されていることを特徴とするトランクリッド。
【請求項４】
請求項１〜３のいずれか１項に記載のトランクリッドにおいて、
上記後側補強部(59)の連結壁部(57)には、リッド閉状態を保持するロック手段(49)が取り付けられていることを特徴とするトランクリッド。
【発明の詳細な説明】
【技術分野】
【０００１】
本発明は、自動車のトランクルーム開口を上下方向に開閉するトランクリッドに関するものである。
【背景技術】
【０００２】
特許文献１には、パネル状の樹脂製リッド本体部を備えたトランクリッドが開示されている。このトランクリッドでは、上記リッド本体部裏面に複数の補強用リブを突設して剛性を確保するとともに、上記複数の補強用リブに、切欠きを車幅方向に沿う略一直線上に形成することで、自動車の後突時にクラッシュし易くして衝撃荷重を吸収できるようにし、トランクリッドの車室内への飛び込みを防止している。
【先行技術文献】
【特許文献】
【０００３】
【特許文献１】実開昭６３−１０２５７８号公報
【発明の概要】
【発明が解決しようとする課題】
【０００４】
ところで、一般に、トランクリッドの車体後部は、開閉動作に伴って負荷を受けるため、その剛性向上が要求されている。
【０００５】
しかしながら、特許文献１において、トランクリッドの車体後部の剛性向上のために上記補強用リブを増やしたり分厚くすると、リッド本体部にヒケや反りが生じ、トランクリッドの意匠性を悪化させるおそれがある。
【０００６】
本発明は、かかる点に鑑みてなされたものであり、その目的とするところは、自動車の後突時に衝撃荷重を吸収する機能を確保しつつ、意匠性を悪化させることなくトランクリッドの車体後部の剛性を高めることにある。
【課題を解決するための手段】
【０００７】
上記の目的を達成するため、本発明は、リッド本体部裏側の車体後部に複数の立壁部を車幅方向に間隔をあけて一体に立設し、これら立壁部の先端縁を連結壁部で一体に橋絡したことを特徴とする。
【０００８】
具体的には、本発明は、パネル状の樹脂製リッド本体部を備え、車体の上方に開放するトランクルーム開口の車体前端の車幅方向両端に一対のヒンジにより上記トランクルーム開口を上下方向に開閉可能に連結されたトランクリッドを対象とし、次のような解決手段を講じた。
【０００９】
すなわち、請求項１に記載の発明は、上記リッド本体部の主面裏側における車体後部の車幅方向中程に板面を車幅方向に互いに対向させて一体に立設された複数の立壁部と、これら立壁部の先端縁を一体に橋絡する連結壁部とを有し、上記複数の立壁部のうち少なくとも一対の各立壁部の車体前側端縁の基端が車幅方向に沿う略一直線上に位置する樹脂製後側補強部を備え、自動車の後突時、上記リッド本体部が上記各立壁部の上記車幅方向に沿う略一直線上に位置する車体前側端縁の基端を起点として略くの字状に折れ曲がることを特徴とする。
【００１０】
請求項２に記載の発明は、請求項１に記載のトランクリッドにおいて、上記立壁部の車体前側端縁は、リッド閉状態で先端から基端に行くに従って前上がりに傾斜していることを特徴とする。
【００１１】
請求項３に記載の発明は、請求項１又は２に記載のトランクリッドにおいて、上記リッド本体部の主面裏側における後側補強部の車体前側には、上記複数の立壁部のうちの少なくとも１つの車体前側端縁に一体に連結されて車幅方向に延びる前側補強部が突設されていることを特徴とする。
【００１２】
請求項４に記載の発明は、請求項１〜３のいずれか１項に記載のトランクリッドにおいて、上記後側補強部の連結壁部には、リッド閉状態を保持するロック手段が取り付けられていることを特徴とする。
【発明の効果】
【００１３】
請求項１に記載の発明によれば、後側補強部はトランクリッドの車体後部でリッド本体部とで閉断面を形成しているので、トランクリッドの車体後部の剛性を高めてその変形や破損を防止できる。また、後側補強部はリッド本体部と立壁部とでのみつながっているので、厚肉の補強用リブに起因するヒケ等が発生せず、トランクリッドの意匠性が向上する。
【００１４】
さらに、自動車の後突時にリッド本体部が複数の立壁部の車体前側端縁の基端、すなわち車幅方向に沿う略一直線を起点として略くの字状に折れ曲がるので、衝撃荷重が吸収され、その結果、トランクリッドの車室内への飛び込みが防止されるとともに乗員に加わる衝撃が軽減される。
【００１５】
請求項２に記載の発明によれば、自動車の後突時に、立壁部の車体前側端縁には連結壁部が形成されていないので、リッド本体部が折れ曲がる前に立壁部の車体前側端縁が湾曲してその衝撃荷重を吸収するので、乗員に加わる衝撃をさらに軽減できる。
【００１６】
請求項３に記載の発明によれば、立壁部の車体前側端縁の基端、すなわち自動車の後突時における折れ曲がりの起点が、前側補強部によってその剛性が高められたトランクリッドの車体前部と、後側補強部によってその剛性が高められたトランクリッドの車体後部とに挟まれ、これら車体前後両側に対する上記起点の剛性が相対的に低くなっているので、折れ曲がりの起点の位置ずれが生じにくい。
【００１７】
請求項４に記載の発明によれば、トランクリッドの車体後部の剛性を高める後側補強部の連結壁部にロック手段を設けているので、トランクリッドを閉じる際、上記ロック手段の車体側ロック箇所との当接による反力が後側補強部に作用してもリッド本体部は大きく撓まず、両者の係合不良が生じることを防止できる。
【図面の簡単な説明】
【００１８】
【図１】本発明の実施形態に係るトランクリッドを表側から見た斜視図である。
【図２】本発明の実施形態に係るトランクリッドを裏側から見た斜視図である。
【図３】図１のＡ−Ａ線に相当する断面図である。
【図４】図２のＢ−Ｂ線に相当する断面図である。
【発明を実施するための形態】
【００１９】
以下、本発明の実施形態について図面に基づいて説明する。
【００２０】
図１〜４は、自動車の車体１の上方に開放するトランクルーム開口３を上下方向に開閉可能な本発明の実施形態に係るトランクリッド５を示す。このトランクリッド５は、炭素繊維強化ポリプロピレン（ＰＰＣＦ）、ガラス繊維強化ポリプロピレン（ＰＰＧＦ）、ＳＭＣ（Sheet Molding Compound）等の繊維強化樹脂材にて一体に成形されている。
【００２１】
このトランクリッド５は、リッド閉状態でトランクルーム開口３を覆うパネル状のリッド本体部７を備えている。このリッド本体部７は、車体後方に向けて若干下方に傾斜して延びる矩形パネル部７ａと、該矩形パネル部７ａの後端縁から後方に向けて下方に大きく傾斜して徐々に幅を狭めながら一体に延びる左右対称な台形パネル部７ｂとで側方から見て断面略への字状に形成され、上記矩形パネル部７ａがリッド本体部７の主面を構成している。
【００２２】
上記リッド本体部７の矩形パネル部７ａの裏側には、その車体後側の車幅方向中程を除く外周縁全体に沿って延びる外周リブ９が一体に立設されている。車体後側の外周リブ９の車幅方向両端近傍には、車体後方に向けて平面視略反Ｕ字状に膨出する膨出部１１が形成されている。さらに、上記リッド本体部７の矩形パネル部７ａの裏側には、外周リブ９の車体前端の車幅方向両外側方でそれぞれ上記外周リブ９と間隔をあけ、板面を車幅方向に向けた一対の側壁部１３が一体に立設されている。
【００２３】
上記外周リブ９の先端縁には、その全長に亘って上記リッド本体部７と略平行に離間する環状の周壁部１５が内側又は外側に向けて一体に延設されている。該周壁部１５の車体前側及び車幅方向両側は、上記外周リブ９の外側に向けて延設されている一方、該周壁部１５の車体後側は、上記外周リブ９の内側に向けて延設されている。上記周壁部１５の車体前端の車幅方向両端は、その後側よりも車幅方向両外側に張り出し、かつその車幅方向内側の周壁部１５よりも分厚く形成されて裏側（反リッド本体部７側）に膨出する張出部１７をそれぞれ構成している。両張出部１７の車幅方向外側端縁（周壁部１５の車体前端の車幅方向両側の延出端縁）は、上記側壁部１３の先端縁に一体に連結されている。上記各張出部１７には、１対のボルト２１の頭部が溶接された金属製のインサートブラケット２３がインサート成形により埋め込まれ、各ボルト２１の軸部が車体前後方向に間隔をあけて張出部１７裏面から突出している。これらボルト２１の軸部をヒンジ２５のボルト挿通孔２７に挿通させて軸部先端側にナット２９を螺合させることで、トランクリッド５が、トランクルーム開口３の車体前端の車幅方向両端に上記一対のヒンジ２５によりトランクルーム開口３を上下方向に開閉可能に連結されている。
【００２４】
一方、車体後側の外周リブ９非立設箇所の周壁部１５の後端縁には、その全長に亘って後側延出壁部３５が後方に向けて一体に延設されている。この後側延出壁部３５には、平面視矩形状の３つの貫通孔３７が車幅方向に間隔をあけて形成されている。該後側延出壁部３５の延出端縁（後端縁）は、台形パネル部７ｂに裏側から一体に連結されている。また、車体後側の外周リブ９非立設箇所の周壁部１５の前端縁の車幅方向中程には、前側延出壁部３９が前方に向けて一体に延設されている。この前側延出壁部３９には、一対の貫通孔４１が形成され、これら各貫通孔４１周りの前側延出壁部３９をクリップナット４３によって挟み、該クリップナット４３及び貫通孔４１にプレート４５がボルト４７により裏側（反リッド本体部７側）から締結されている。このプレート４５には、車体１に取り付けられたラッチ機構（図示せず）に嵌合してリッド閉状態を保持するロック手段としてのストライカ４９が溶接されている。つまり、ストライカ４９は、プレート４５及びクリップナット４３を介して前側延出壁部３９に取り付けられている。また、上記膨出部１１に囲まれた周壁部１５には、図２に示すように、それぞれ緩衝ゴム（図示せず）の取付孔５１が形成されている。
【００２５】
上記周壁部１５の反リッド本体部７側の面は、リッド閉状態でトランクルーム開口３周縁に環状に設けられたウエザストリップ５３に全周に亘って当接する。
【００２６】
上記矩形パネル部７ａ裏側の車体後部の車幅方向中程には、一対の立壁部５５が板面を車幅方向に対向させて互いに間隔をあけて平行に一体に立設されている。これら立壁部５５の先端縁は、上記外周リブ９非立設箇所の周壁部１５の車幅方向中央部、後側延出壁部３５の車幅方向中央部、及び前側延出壁部３９によって一体に橋絡されている。つまり、上記外周リブ９非立設箇所の周壁部１５の車幅方向中央部、後側延出壁部３５の車幅方向中央部、及び前側延出壁部３９が一体となって立壁部５５の先端縁を一体に橋絡する連結壁部５７を構成している。そして、この連結壁部５７と上記立壁部５５とで門型の後側補強部５９が構成されている。各立壁部５５の車体後側端縁は、台形パネル部７ｂに裏側から一体に連結されている一方、その車体前側端縁は、矩形パネル部７ａの車体前後方向略中央部まで延び、かつリッド閉状態で先端から基端に行くに従って前上がりに傾斜している。また、各立壁部５５の車体前側端縁の基端は、車幅方向に沿う略一直線Ｌ上に位置している。
【００２７】
また、上記矩形パネル部７ａ裏側の後側延出壁部３５の車幅方向両側には、それぞれ補強壁部６０が板面を車幅方向に対向させて互いに平行に一体に立設され、これら補強壁部６０の先端縁は、上記後側延出壁部３５の車幅方向両端縁に一体に連結されている。
【００２８】
また、上記矩形パネル部７ａ裏側の後側補強部５９の車体前側には、上記立壁部５５の車体前側端縁から車体前方に向けて互いに平行に延出する一対の立壁部補強リブ６１が一体に立設され、該立壁部補強リブ６１の車体前側端縁は、車体前側の外周リブ９に一体に連結されている。さらに、上記矩形パネル部７ａ裏側における後側補強部５９の車体前側には、上記両立壁部補強リブ６１の後端部、及び外周リブ９の車体前端の車幅方向両端を一体に連結するように車幅方向に延びる互いに平行な２本の後側横リブ６３と、該後側横リブ６３の車体前側で外周リブ９の車体前端の車幅方向両端を一体に連結するように車幅方向に延びる互いに平行な２本の前側横リブ６５とが、前側補強部として一体に立設されている。つまり、各後側横リブ６３は、立壁部補強リブ６１を介して一方の立壁部５５の車体前側端縁に一体に連結され、各前側横リブ６５は、それぞれ立壁部補強リブ６１を介して両立壁部５５の車体前側端縁に一体に連結されている。上記後側横リブ６３は、全長に亘って車幅方向外側に向けて前方に傾斜している一方、上記前側横リブ６５は、車幅方向両外側のみが車幅方向外側に向けて前方に傾斜している。また、上記立壁部補強リブ６１と上記立壁部５５とで、車体前後方向に延びて上記前側横リブ６５と交差する一本の縦リブ６２が構成されている。
【００２９】
また、上記矩形パネル部７ａ裏側における上記立壁部５５の車幅方向内側には、車体前後方向に延びて上記前側横リブ６５と交差し、かつ車体前側の外周リブ９と台形パネル部７ｂとを一体に連結するように延びる３本の内側縦リブ６６が一体に立設されている。
【００３０】
また、上記矩形パネル部７ａ裏側における上記立壁部５５の車幅方向両外側には、車体前後方向に延びて上記後側横リブ６３及び前側横リブ６５と交差し、それぞれ車体前後両側の外周リブ９に一体に連結された計４本の外側縦リブ６７が一体に立設されている。上記外側縦リブ６７の車体後端部には、その前側よりも突出する突出部７１が形成され、これら突出部７１の先端縁は、上記車体後側の周壁部１５に一体に連結されている。
【００３１】
さらに、上記矩形パネル部７ａ裏側における車体前側及び車幅方向両側の外周リブ９外側には、板面を周方向に向けた複数の板状支持リブ７３が周方向に互いに間隔をあけて一体に立設されている。各支持リブ７３の先端縁は上記周壁部１５に一体に連結されているとともに、各支持リブ７３の内側端縁は上記外周リブ９に外側から一体に連結されている。
【００３２】
さらに、上記台形パネル部７ｂ裏側の膨出部１１対応箇所には、板面を車幅方向に向けた板状補強リブ７５が立設されて上記膨出部１１に一体に連結されている。
【００３３】
上述のように構成されたトランクリッド５を備えた自動車の後突時には、各立壁部５５の車体前側端縁には連結壁部５７が形成されていないので、まず、立壁部５５の車体前側端縁がその基端を起点として湾曲し、その後、図３に仮想線で示すように、上記リッド本体部７が上記各立壁部５５の車体前側端縁の基端、すなわち車幅方向に沿う略一直線Ｌを起点として略くの字状に折れ曲がる。したがって、衝撃荷重が吸収され、その結果、トランクリッド５の車室内への飛び込みが防止されるとともに乗員に加わる衝撃が軽減される。また、上述のようにリッド本体部７が折れ曲がる前に立壁部５５の車体前側端縁が湾曲することにより、衝撃荷重が吸収されるので、乗員に加わる衝撃をさらに軽減できる。なお、図３では、後側延出壁部３５の貫通孔３７、ストライカ４９周りの詳細な構成、及び支持リブ７３の仮想線での図示を省略している。
【００３４】
したがって、本実施形態によれば、後側補強部５９はトランクリッド５の車体後部でリッド本体部７とで閉断面を形成しているので、トランクリッド５の車体後部の剛性を高めてその変形や破損を防止できる。また、後側補強部５９はリッド本体部７と立壁部５５とでのみつながっているので、厚肉の補強用リブに起因するヒケ等が発生せず、トランクリッド５の意匠性が向上する。
【００３５】
また、立壁部５５の車体前側端縁の基端、すなわち自動車の後突時における折れ曲がりの起点が、後側横リブ６３及び前側横リブ６５によってその剛性が高められたトランクリッド５の車体前部と、後側補強部５９によってその剛性が高められたトランクリッド５の車体後部とに挟まれ、これら車体前後両側に対する上記起点の剛性が相対的に低くなっているので、折れ曲がりの起点の位置ずれが生じにくい。
【００３６】
また、トランクリッド５の車体後部の剛性を高める後側補強部５９の連結壁部５７にストライカ４９を設けているので、トランクリッド５を閉じる際、上記ストライカ４９の車体側ロック箇所、すなわち車体側のラッチ機構との当接による反力が後側補強部５９に作用しても、リッド本体部７は大きく撓まず、両者の係合不良が生じることを防止できる。
【００３７】
また、トランクリッド５の張出部１７設置箇所を、側壁部１３、周壁部１５、外周リブ９、及びリッド本体部７からなる閉断面形状にし、かつ当該閉断面形状を構成する外周リブ９を車体前端の車幅方向両端で後側横リブ６３及び前側横リブ６５により支持しているので、張出部１７の剛性が高められる。また、リッド開閉時に張出部１７にかかる負荷が後側横リブ６３及び前側横リブ６５を介してリッド本体部７に車幅方向に広く分散する。したがって、リッド開閉時の負荷による張出部１７の変形や破損が防止される。
【００３８】
さらに、リッド本体部７の張出部１７対応箇所には側壁部１３、外周リブ９、後側横リブ６３及び前側横リブ６５だけがつながっているので、密集した厚肉の補強用リブに起因するヒケ等が発生せず、トランクリッド５の意匠性が向上する。また、リッド本体部７の外周縁には外周リブ９だけがつながっているので、複数本設けた補強用リブに起因するヒケ等が発生せず、トランクリッド５の意匠性が向上する。
【００３９】
また、縦リブ６２、内側縦リブ６６及び外側縦リブ６７が前側横リブ６５と交差して前側横リブ６５の剛性を高めているので、前側横リブ６５によって外周リブ９がより確実に支持され、張出部１７の剛性がさらに高められる。また、リッド開閉時に張出部１７にかかる負荷が縦リブ６２、内側縦リブ６６及び外側縦リブ６７を介してリッド本体部７に車体前後方向に広く分散する。したがって、リッド開閉時の負荷による張出部１７の変形や破損がより確実に防止される。
【００４０】
なお、上記実施形態では、トランクリッド５にストライカ４９を取り付け、車体１にラッチ機構を取り付けたが、反対に、トランクリッド５にラッチ機構をロック手段として取り付け、車体１にストライカ４９を取り付けてもよい。
【００４１】
さらに、上記実施形態では、立壁部５５を１対だけ設けたが、３枚以上設け、それらの先端縁が連結壁部５７で橋絡されるようにしてもよい。かかる場合、これら３枚以上のすべての立壁部５５の車体前側端縁の基端を車幅方向に沿う略一直線Ｌ上に配置してもよいし、一部の少なくとも一対の立壁部５５の車体前側端縁の基端を車幅方向に沿う略一直線Ｌ上に配置してもよい。
【００４２】
また、周壁部１５の一部又は全部を、外周リブ９の先端縁の外側及び内側の両方に向けて一体に延設してもよい。
【産業上の利用可能性】
【００４３】
本発明は、自動車のトランクルーム開口を上下方向に開閉するトランクリッドとして有用である。
【符号の説明】
【００４４】
１      車体 
３      トランクルーム開口 
５      トランクリッド 
７      リッド本体部 
７ａ    矩形パネル部（主面） 
２５      ヒンジ 
４９      ストライカ（ロック手段） 
５５      立壁部 
５７      連結壁部 
５９      後側補強部 
６３      後側横リブ（前側補強部） 
６５      前側横リブ（前側補強部）
Ｌ        一直線  
【図１】
2013248959.tif 000003
【図２】
2013248959.tif 000004
【図３】
2013248959.tif 000005
【図４】
2013248959.tif 000006